(57)【要約】【課題】高速再生の再生速度をユーザが自由に指定できるように構成した光ディスク装置を提供する。【解決手段】再生中に高速再生（早送り）が指示されると、制御部６は、現在再生中のＶＯＢＵ１０２９の飛び越し先となる飛び先ＶＯＢＵが、現在再生中のＶＯＢＵ１０２９から（Ｍ＝）６個先までに存在するかどうかを判断する。飛び先ＶＯＢＵが７個以上先に存在する場合、制御部６は、ＲＡＭ６Ａに記録しておいたＡＤＭＡＰ２００を参照する。さらに、制御部６は、ＡＤＭＡＰ２００内で、現在再生中のＶＯＢＵ１０２９に対応する位置情報を検索する。そして、制御部６は、現在再生中のＶＯＢＵ１０２９に対応する位置情報を基準にして、飛び先ＶＯＢＵのアドレスをＡＤＭＡＰ２００から検出する。最後に、制御部６は、検出したアドレスに存在する飛び先ＶＯＢＵをＰＵヘッド２に読取らせて、再生する。【選択図】  図２
2008263303.tif 000002
【特許請求の範囲】
【請求項１】
コンテンツデータがユニット毎に記録されているとともに、各ユニットより内周に、前記各ユニットのアドレスを示す全位置情報が記録されている光ディスクから、各ユニットを順次読取って再生する再生手段を備え、
前記各ユニットは、前記コンテンツデータとともに、自ユニットから予め定められたＭ個先までに存在するユニットのアドレスを示すＭ個位置情報を格納する光ディスク装置において、
前記各ユニットを複数個おきに飛び越して再生する高速再生が再生中に指示されると、現在再生中のユニットの飛び越し先となる飛び先ユニットが、前記現在再生中のユニットから前記Ｍ個先までに存在するかどうかを判断するアドレス検出手段を備え、
前記アドレス検出手段は、
（ＳＴ１）前記飛び先ユニットが前記Ｍ個先までに存在する場合、前記現在再生中のユニットに格納されている前記Ｍ個位置情報を参照して前記飛び先ユニットのアドレスを検出し、
（ＳＴ２）前記飛び先ユニットが前記Ｍ+１個以上先に存在する場合、前記全位置情報を参照して前記飛び先ユニットのアドレスを検出し、
前記再生手段は、前記アドレス検出手段が検出したアドレスに存在する前記飛び先ユニットを読取って再生する光ディスク装置。
【請求項２】
前記光ディスクの再生が指示された時に、前記光ディスクに記録されている前記全位置情報を記憶する記憶手段を備え、
前記アドレス検出手段は、前記高速再生中の上記ＳＴ２において、前記飛び先ユニットが前記Ｍ個先よりも先に存在する場合、前記記憶手段から前記全位置情報を参照して前記飛び先ユニットのアドレスを検出する請求項１に記載の光ディスク装置。
【請求項３】
前記光ディスクの再生が指示された時に、前記光ディスクに記録されている前記全位置情報を前記記憶手段に記憶させるか否かを切替える切替手段を備える請求項２に記載の光ディスク装置。
【請求項４】
前記光ディスクは、ＤＶＤである請求項１から３のいずれかに記載の光ディスク装置。
【発明の詳細な説明】
【技術分野】
【０００１】
本発明は、ＤＶＤ（Digital Versatile Disc）のような光ディスクからデジタル情報を再生する光ディスク装置に関し、特に、通常の再生より再生速度の速い高速再生を行う光ディスク装置に関するものである。
【背景技術】
【０００２】
従来より、ＤＶＤ等の光ディスクを再生する光ディスク装置は、別名早送りと呼ばれる高速再生機能を有している。この光ディスクでは、ビデオオブジェクトユニット（ＶＯＢＵ）と呼ばれる単位でコンテンツデータが記録されている。ＤＶＤの規格では、現在再生中のＶＯＢＵの次に取得するＶＯＢＵのアドレスは、ＶＯＢＵの先頭に記録されているナビゲーションパックＮＶ＿ＰＣＫの中に、ＶＯＢＵ＿ＳＲＩ（ビデオオブジェクトユニットサーチ情報）として記録される。ＶＯＢＵ＿ＳＲＩには、現在のＶＯＢＵの再生時刻の前後０．５×Ｍ秒に再生されるＶＯＢＵの先頭アドレスが複数記録されている。
【０００３】
光ディスク装置は、通常再生時、記録されているＶＯＢＵの順番で再生する。一方、通常再生より再生速度の速い高速再生時、光ディスク装置は、上記のＶＯＢＵ＿ＳＲＩに基づいて、ＶＯＢＵを複数個おきに飛び越して再生し、時間的に離れたＶＯＢＵを順次再生する。この高速再生において、飛び越し数が多い高倍速の高速再生に対応するために、上記ＶＯＢＵ＿ＳＲＩに、現在のＶＯＢＵから時間的に大きく離れたＶＯＢＵの先頭アドレスが記録されている必要がある。
【０００４】
以上のような光ディスク装置に対して、ユーザが所望の再生速度を指定して光ディスクの高速再生を指示すると、光ディスク装置は、指定された再生速度で光ディスクを高速再生する。
なお、特許文献１では、再生装置が提案されている。
【特許文献１】特開２００６−２０２４０２公報
【発明の開示】
【発明が解決しようとする課題】
【０００５】
しかしながら、ＶＯＢＵ＿ＳＲＩに、現在のＶＯＢＵから何個離れたＶＯＢＵの先頭アドレスまで記載するかは、ＤＶＤの規格で決められている。例えばＤＶＤ+ＶＲフォーマットでは、６（＝Ｍ）個離れたＶＯＢＵの先頭アドレスまで記載すると決められている。そのため、従来の光ディスク装置では、ＤＶＤの規格に応じて、高速再生の再生速度に限界があった。
よって、ユーザが指定できる高速再生の再生速度に制限があった。例えばＤＶＤ+ＶＲフォーマットでは、Ｍ＝６であるため、０．５×６＝３秒飛ばしの高速再生までしかできなかった。従って、従来の光ディスク装置では、ユーザの使い勝手が悪かった。
【０００６】
本発明はこのような従来の課題を解決しようとするものであり、高速再生の再生速度をユーザが自由に指定できるように構成した光ディスク装置を提供することを目的とする。
【課題を解決するための手段】
【０００７】
本発明の光ディスク装置は、前記課題を解決するために以下の構成を備えている。
【０００８】
（１）コンテンツデータがユニット毎に記録されているとともに、各ユニットより内周に、前記各ユニットのアドレスを示す全位置情報が記録されている光ディスクから、各ユニットを順次読取って再生する再生手段を備え、
前記各ユニットは、前記コンテンツデータとともに、自ユニットから予め定められたＭ個先までに存在するユニットのアドレスを示すＭ個位置情報を格納する光ディスク装置において、
前記各ユニットを複数個おきに飛び越して再生する高速再生が再生中に指示されると、現在再生中のユニットの飛び越し先となる飛び先ユニットが、前記現在再生中のユニットから前記Ｍ個先までに存在するかどうかを判断するアドレス検出手段を備え、
前記アドレス検出手段は、
（ＳＴ１）前記飛び先ユニットが前記Ｍ個先までに存在する場合、前記現在再生中のユニットに格納されている前記Ｍ個位置情報を参照して前記飛び先ユニットのアドレスを検出し、
（ＳＴ２）前記飛び先ユニットが前記Ｍ+１個以上先に存在する場合、前記全位置情報を参照して前記飛び先ユニットのアドレスを検出し、
前記再生手段は、前記アドレス検出手段が検出したアドレスに存在する前記飛び先ユニットを読取って再生する。
【０００９】
この構成において、光ディスクは、例えばＤＶＤ+ＶＲフォーマットで予め記録されている。
ユーザが高速再生を再生中に指示すると、アドレス検出手段は、上記の判断を行う。そして、アドレス検出手段は、その判断結果に応じて後の処理を変える。
飛び先ユニットがＭ個先までにある場合、飛び先ユニットのアドレスが現在再生中のユニット中のＭ個位置情報に記述されているため、アドレス検出手段は、そのＭ個位置情報を参照して飛び先ユニットのアドレスを検出する。そして、再生手段が、飛び先ユニットのアドレスに存在する飛び先ユニットを再生する。この結果、光ディスク装置は、再生中のユニットのＭ個位置情報に基づいて、ユニットを複数個おきに飛び越して再生し、時間的に離れたユニットを順次再生していく。
一方、飛び先ユニットがＭ+１個以上先に存在する場合、飛び先ユニットのアドレスがＭ個位置情報に記述されていないため、アドレス検出手段は、現在再生中の位置から内周に一旦アクセスして、全位置情報を参照する。そして、アドレス検出手段は、飛び先ユニットのアドレスを全位置情報から検出する。この結果、光ディスク装置は、全位置情報に基づいて、ユニットを複数個おきに飛び越して再生し、時間的に離れたユニットを順次再生していく。
以上により、光ディスク装置は、どのようなフォーマットで記録された光ディスクでも、Ｍ／２秒飛ばし以上の高速再生ができる。そのため、ユーザは、ＤＶＤの規格に関係なく、高速再生の再生速度を自由に指定できる。従って、ユーザの使い勝手が向上できる。
【００１０】
（２）前記光ディスクの再生が指示された時に、前記光ディスクに記録されている前記全位置情報を記憶する記憶手段を備え、
前記アドレス検出手段は、前記高速再生中の上記ＳＴ２において、前記飛び先ユニットが前記Ｍ個先よりも先に存在する場合、前記記憶手段から前記全位置情報を参照して前記飛び先ユニットのアドレスを検出する。
【００１１】
この構成では、記憶手段が全位置情報を記憶しているため、アドレス検出手段は、全位置情報を光ディスクから参照する場合と比べ、全位置情報を素早く参照することができる。これにより、ユーザが高速再生を指示してから高速再生が開始するまでの時間を短縮できる。従って、ユーザの使い勝手が一層向上できる。
【００１２】
（３）前記光ディスクの再生が指示された時に、前記光ディスクに記録されている前記全位置情報を前記記憶手段に記憶させるか否かを切替える切替手段を備える。
【００１３】
この構成において、光ディスクに記録されている全位置情報を記憶手段に記憶させる方にユーザが切替キーで切替えると、アドレス検出手段は、上述の通り、記憶手段から全位置情報を参照する。そのため、ユーザが高速再生を指示してから高速再生が開始するまでの時間を短縮できる。
一方、光ディスクに記録されている全位置情報を記憶手段に記憶させない方にユーザが切替キーで切替えると、アドレス検出手段は、光ディスクから全位置情報を参照する。光ディスクから参照する場合、アドレス検出手段は、現在アクセスしているユニットから、全位置情報が存在する光ディスクの内周まで移動しなければならない。そのため、ユーザが高速再生を指示してから高速再生が開始するまで、多くの時間を要する。しかし、光ディスクに記録されている全位置情報を記憶手段に記憶させない分、ユーザが再生を指示してから再生が開始されるまでの時間は短縮される。
よって、再生を指示してから再生が開始するまでの時間を短縮させるか、高速再生を指示してから高速再生が開始するまでの時間を短縮させるか、をユーザが自分の使用方法に応じて切替えできる。従って、ユーザの使い勝手が一層向上できる。
【発明の効果】
【００１４】
この発明によれば、ユーザは、ＤＶＤの規格に関係なく、高速再生の再生速度を自由に指定できる。従って、ユーザの使い勝手が向上できる。
【発明を実施するための最良の形態】
【００１５】
以下、本発明の実施形態である光ディスク装置について説明する。
【００１６】
図１は、本発明の実施形態である光ディスク装置の主要な構成を示すブロック図である。光ディスク装置１は、装置本体１にセットされている光ディスク１００に対し指定されたアドレスのデータの読取を行うピックアップヘッド２（以下、ＰＵヘッド２という。）と、ＲＦアンプなどの再生回路３と、データをデコードするデコーダ４と、データをD／A変換するD／A回路５と、装置本体１の各部の動作を制御する制御部６と、情報を表示する表示部９と、ユーザからの入力操作を受付ける操作部１０と、制御方法が記述された制御プログラムを予め記憶する記憶部１１と、を備える。
光ディスク装置１は、所謂ＤＶＤプレーヤである。光ディスク１００は、ブルーレイディスク、ＣＤ、又はＤＶＤである。光ディスク１００には、テレビ番組等のコンテンツが記録されている。
なお、この実施形態では、光ディスク装置で説明しているが、ハードディスクレコーダでも構わない。この場合、メディアは、ハードディスクとなる。
【００１７】
ＰＵヘッド２は、図示しないレーザダイオード（ＬＤ）、コリメータレンズ、ビームスプリッタ、対物レンズ、フォトディテクタ、スレッドモータ、２軸のアクチュエータを備えている。
ＰＵヘッド２は、光ディスク１００の半径方向に延びる軸に移動自在に取り付けられている。スレッドモータ７が、ＰＵヘッド２を光ディスク１００の半径方向に移動させる。
ＬＤは、レーザ光を出力する光源である。フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射位置を調節する。また、２軸のアクチュエータは、対物レンズを光ディスク１００に接離する方向、および光ディスク１００の半径方向に移動させる。
【００１８】
次に、再生時における動作を以下説明する。
ＰＵヘッド２は、光ディスク１００に対して読取パワーのレーザ光を照射し、光ディスク１００からの反射光をフォトディテクタで検出する。これにより、光ディスク１００に記録されているデータを光学的に読み出す。
再生回路３は、ＰＵヘッド２の複数の受光素子の出力に基づいてＲＦ信号を生成して増幅し、該ＲＦ信号を処理してＡＶ（Ａudio  Ｖisual）データを取り出す。ここで、取り出されるＡＶデータは、光ディスク１００のコンテンツが記述されているデータであり、例えばＭＰＥＧ（Moving  Picture  Experts  Group）でエンコードされている。そして、そのＡＶデータは、再生回路３内蔵のバッファＲＡＭ（不図示）に一旦格納された後、順次読み出され、デコーダ４に転送（出力）される。
デコーダ４は、バッファＲＡＭに記憶（格納）されているＡＶデータをデコードする。デコードされたＡＶデータは、デコーダ４内蔵のデコードＲＡＭ（不図示）に一旦格納された後、再び読み出され、D／A回路５に順次転送される。
D／A回路５は、デコーダ４によって伸長されたＡＶデータをアナログの再生信号に変換し、その再生信号を外部に出力する。D／A回路５には、テレビジョン１０１が接続される。ユーザは、テレビジョン１０１において、再生信号に基づく画像および音声を視聴する。
【００１９】
また、操作部１０は、装置本体に対する入力操作を行う複数の操作キー（不図示）や、図示していないリモコンから送信されてきた装置本体１に対する制御コードを受信するリモコン受信部（不図示）を有している。操作部１０は、ユーザにより操作された操作キーに応じた制御コードや、リモコン受信部で受信した制御コードを制御部６に伝送する。
【００２０】
上記複数の操作キーの中には、光ディスク１００に記録されている画像や音声を再生する再生キー（不図示）と、所望の再生タイトルを選択するための選択キー（不図示）と、再生速度を指定して光ディスク１００に記録されている画像や音声を高速再生する早送りキー（不図示）と、がある。
【００２１】
記憶部１１は、例えばＥＥＰＲＯＭで構成されている。
【００２２】
表示部９は、例えば液晶パネルで構成されている。表示部９は、時刻、光ディスク装置１の設定状態などを表示する。
【００２３】
制御部６は、例えばマイクロコンピュータで構成されている。また、制御部６は、制御プログラムで処理されるデータを展開するワークフィールドとしてのＲＡＭ６Ａを内蔵する。
【００２４】
ここで、再生回路３及びＰＵヘッド２が、本発明の「再生手段」に相当する。光ディスク装置１が、本発明の「再生装置」に相当する。制御部６が、本発明の「アドレス検出手段」に相当する。
なお、実際の光ディスク装置では、読取時に、レーザ光の照射時間を光ディスクのトラックの中心に合わせるトラッキングサーボ制御と、レーザ光の合焦時間を光ディスクの記録面に合わせるフォーカスサーボ制御と、を行っているが、本発明の実施形態では図示を省略している。
【００２５】
図２は、ＤＶＤ＋ＶＲフォーマットで記録された光ディスク上のデータのデータ構造を示す図である。ＤＶＤ−Ｖideoフォーマットで記録された光ディスク１００上には、図２Ａに示すように、その内周から外周にかけてVMGI９５、VMGM_VOBS９６、VMGIbup９７、タイトル１００１〜３００１が記録されている。この実施形態では、３タイトル収録されている。
VMGI(Video  Manager  Information)９５には、ＤＶＤ−Ｖideo全体の再生関連情報（制御情報）、いわゆるルートメニューの情報が記述されている。例えば、ＶＴＳＩのアドレス情報等もここに記述されている。
VMGM_VOBS(Video  Object  Set  for  VMG  Menu)９６には、タイトルメニューで使用するコンテンツが記述されている。このコンテンツは、例えば、光ディスク１００に記録されている全タイトルの一覧を示すタイトル画面である（後述の図５参照）。
VMGIbup９７は、VMGI９５のバックアップファイルである。
以下、ＶＭＧと言う時は、VMGI９５又はVMGM_VOBS９６を指す。
【００２６】
次に、タイトル１００１〜３００１は、ＤＶＤ規格であるＤＶＤ‐ＶＩＤＥＯのデータ構造に近づけるため、タイトル内のそれぞれの構成要素が分離され、同種の構成要素でまとめられて光ディスク１００上に記録されている。具体的には、タイトル１００１〜３００１のＶＴＳＩ１００２〜３００２は、まとめられてVMGIbup９７の後ろに記録されている。ＶＯＢＳ１００３〜３００３についても同様に、まとめられてＶＴＳＩ１００２〜３００２の後ろに記録されている。そのため、ＤＶＤ＋ＶＲフォーマットで記録された光ディスク１００は、ＤＶＤ‐ＶＩＤＥＯのみ再生可能な再生装置においても再生できる。
【００２７】
タイトル１００１〜３００１を代表して、タイトル１００１のデータ構造について以下説明する。
また、タイトル１００１は、ＶＴＳＩ（Ｖideo  Ｔitle  Ｓet  Ｉnformation）１００２とＶＯＢＳ（Ｖideo  Ｏbject  Ｓet）１００３とＶＴＳＩbup１００４とから構成されている（図２Ａ参照）。
ＶＴＳＩ１００２には、そのＶＯＢＳ１００３に対する制御情報が記述されている。
ＶＯＢＳ１００３には、タイトル再生のためのコンテンツが記述されている。該ＶＯＢＳ１００３には、図２Ｂに示すように、複数のセル１０１０〜１０１９から構成されている。
ＶＴＳＩbup１００４には、ＶＴＳＩ１００２のバックアップファイルが記述されている。
【００２８】
ＤＶＤ＋ＶＲフォーマットにおいて、データは、予め決められたセル単位で記録される。セル１０１０は、複数のＶＯＢＵ（Ｖideo  Ｏbject  Ｕnit）１０２０〜１０２９で構成される（図２Ｃ参照）。１タイトルのセルの最大数は２５５セルである。そのため、光ディスクに１０時間分のデータを記録する場合、１セルは、例えば２分３０秒である。１ＶＯＢＵは、例えば０、５秒である。
なお、他のセル、例えばセル１０１１でも、セル１０１０と同じ構造となっている。
【００２９】
ＶＯＢＵ１０２９には、先頭にＮＶ＿ＰＣＫ（Ｎavigatyion  Ｐack）１０３０が置かれ、続いてビデオデータやオーディオデータ（ＡＶデータ）などがパック化されて挿入される（図２D参照）。
なお、他のＶＯＢＵ、例えばＶＯＢＵ１０２０でも、ＶＯＢＵ１０２９と同じ構造となっている。
【００３０】
ここで、全てのＶＯＢＵを代表して、ＶＯＢＵ１０２９について以下説明する。この際、現在ＶＯＢＵ１０２９が再生されていると仮定して説明する。
【００３１】
図３は、図２のＮＶ＿ＰＣＫ１０３０中に格納されている内容を示す図である。ＤＶＤの規格では、現在再生中のＶＯＢＵ１０２９の次に取得するＶＯＢＵのアドレスは、ＶＯＢＵ１０２９の先頭に記録されているナビゲーションパックＮＶ＿ＰＣＫ１０３０の中に、ＶＯＢＵ＿ＳＲＩ（ビデオオブジェクトユニットサーチ情報）３０として記録されている。図３に示すＦＷＤＩは、現在のＶＯＢＵ１０２９の再生時刻の前０．５×Ｍ秒に再生されるＶＯＢＵの先頭アドレスを示す情報である。図３に示すＢＷＤＩは、現在のＶＯＢＵ１０２９の再生時刻の後０．５×Ｍ秒に再生されるＶＯＢＵの先頭アドレスを示す情報である。即ち、ＶＯＢＵ＿ＳＲＩ３０には、現在のＶＯＢＵ１０２９の再生時刻の前後０．５×Ｍ秒に再生されるＶＯＢＵの先頭アドレスが記録されている。ＤＶＤ＋ＶＲフォーマットではＭ＝６であるため、現在のＶＯＢＵ１０２９の再生時刻の前後３秒に再生されるＶＯＢＵの先頭アドレスがＶＯＢＵ＿ＳＲＩ３０に記録されている。
【００３２】
光ディスク装置１は、通常再生時、記録されているＶＯＢＵの順番で再生する。一方、高速再生時、光ディスク装置１は、再生中のＶＯＢＵのＶＯＢＵ＿ＳＲＩに基づいて、ＶＯＢＵを複数個おきに飛び越して再生し、時間的に離れたＶＯＢＵを順次再生する。
なお、ＶＯＢＵ１０２９が、本発明の「ユニット」に相当する。また、ＶＯＢＵ＿ＳＲＩ３０が、本発明の「Ｍ個位置情報」に相当する。
【００３３】
次に、全てのＶＴＳＩを代表して、タイトル１００１のＶＴＳＩ１００２について以下説明する。
【００３４】
図４は、図２のＶＴＳＩ１００２中に格納されている内容を示す図である。ＶＴＳＩ１００２中には、タイトル１００１中に存在する全ＶＯＢＵの各アドレスを示すＡＤＭＡＰ（アドレスマップ）１１０２が記録されている。ＡＤＭＡＰ１１０２は、位置情報の集合体と定義する。例えばタイトル１００１の特定の再生時間を指定したタイムサーチ再生がユーザから指示されると、光ディスク装置１は、その特定の再生時間に対応するＶＯＢＵのアドレスをＡＤＭＡＰ２００から検出し、そのアドレスのＶＯＢＵからＡＶデータを再生する。
なお、ＡＤＭＡＰ２００が、本発明の「全位置情報」に相当する。
【００３５】
図５は、本発明の実施形態である光ディスク装置の制御部が行う動作を示すフローチャートである。この動作は、ユーザが光ディスク１００を光ディスク装置１にセットして、再生キーを押下した時の動作である。
【００３６】
再生キーが押下されて光ディスク１００の再生が指示されると、制御部６は、ＰＵヘッド２に指示して、光ディスク１００に記録されているＶＭＧ９６を再生する（Ｓ１）。
【００３７】
これにより、ＶＭＧ９６に記録されているタイトルの一覧がテレビジョン１０１に表示される（Ｓ２）。ユーザは、テレビジョン１０１でこのタイトルの一覧を見て、選択キーを押下して所望のタイトルを選択する。この実施形態では、ユーザがタイトル１００１を選択したものとして、以下説明する。
【００３８】
制御部６は、選択キーで選択されたタイトル１００１へＰＵヘッド２を移動させる（Ｓ３）。
【００３９】
そして、制御部６は、タイトル１００１のＶＴＳＩ１００２をＰＵヘッド２に参照させる（Ｓ４）。これにより、制御部６は、タイトル１００１の制御情報を、再生回路３を介して取得する。制御情報には、上記のＡＤＭＡＰ２００も含まれる。
【００４０】
制御部６は、ＶＴＳＩ１００２中に格納されているＡＤＭＡＰ２００をＲＡＭ６Ａ上に展開しておく（Ｓ５）。
なお、この実施形態では、Ｓ５においてＡＤＭＡＰ２００をＲＡＭ６Ａ上に展開しているが、実施の際は、Ｓ５の処理をスルーしても構わない。この場合、後述のＳ１０４において光ディスク１００からＡＤＭＡＰ２００を参照する。また、実施の際は、Ｓ５においてＡＤＭＡＰ２００を記憶部１１上に展開しても構わない。
【００４１】
制御部６は、ＰＵヘッド２に指示して、タイトル１００１内のＶＯＢＳ１００３を再生する（Ｓ６）。この結果、光ディスク装置１は、ＶＯＢＳ１００３に記録されているＶＯＢＵを先頭のＶＯＢＵ１０２０から順番に再生する。これにより、ユーザは、テレビジョン１０１において、ＶＯＢＳ１００３に含まれる画像および音声を視聴する。
【００４２】
最後のセル１０１９の終端に到達するまで（Ｓ８）、即ち再生中、制御部６は、操作部１０で早送りが指示されたかどうかを判断する（Ｓ７）。Ｓ７及びＳ８では、ユーザが、再生中に早送りキーを押下して、所望の再生速度で再生タイトルを高速再生できる状態となっている。この再生速度は、早送りキーを押下した押下回数に応じて上がる。再生速度と押下回数との関係は、「Ｘ秒飛ばしの高速再生＝０、５×押下回数」である。例えば、ユーザが早送りキーを３回押下すると、１、５秒飛ばしの高速再生となる。
【００４３】
最後のセル１０１９の終端に到達すると（Ｓ８）、制御部６は、ＰＵヘッド２に指示して、光ディスク１００の再生を停止し（Ｓ９）、本処理を終了する。
【００４４】
一方、再生中に高速再生（早送り）が指示されると、制御部６は、+ＶＲ早送り処理を実行する（Ｓ１０）。
【００４５】
図６は、+ＶＲ早送り処理における制御部の動作を示すフローチャートである。この動作は、ＶＯＢＵの再生中にユーザが早送りキーを押下した時の動作である。この動作では、現在再生中のＶＯＢＵがＶＯＢＵ１０２９であると仮定して以下説明する。
【００４６】
再生中に高速再生（早送り）が指示されると、制御部６は、現在再生中のＶＯＢＵ１０２９の飛び越し先となる飛び先ＶＯＢＵが、現在再生中のＶＯＢＵ１０２９から（Ｍ＝）６個先までに存在するかどうかを判断する（Ｓ１０１）。Ｓ１０１では、ユーザが指定した再生速度に応じて以下の動作を変えている。つまり、３秒飛ばしまでの高速再生が指示された場合、即ちユーザが早送りキーを６回以下押下すると、判断肯定となる。例えばユーザが早送りキーを３回押下すると、１、５秒飛ばしの高速再生となるため、判断肯定となる。一方、ユーザが早送りキーを８回押下すると、４秒飛ばしの高速再生となるため、判断否定となる。
【００４７】
Ｓ１０１において飛び先ＶＯＢＵが６個先までに存在する場合、制御部６は、現在再生中のＶＯＢＵ１０２９に格納されているＶＯＢＵ＿ＳＲＩ３０をＰＵヘッド２で読取って、ＶＯＢＵ＿ＳＲＩ３０を参照する（Ｓ１０２）。この処理を設けた理由は、６個先まであれば、飛び先ＶＯＢＵのアドレスがＶＯＢＵ＿ＳＲＩ３０に記述されているからである。
【００４８】
制御部６は、ＶＯＢＵ＿ＳＲＩ３０から飛び先ＶＯＢＵのアドレスを検出する（Ｓ１０３）。
【００４９】
制御部６は、検出したアドレスに存在する飛び先ＶＯＢＵを読取らせて、再生する（Ｓ１０７）。
【００５０】
そして、制御部６は、再生が指示されるまで（Ｓ１０８）、Ｓ１０１、Ｓ１０２、Ｓ１０３、Ｓ１０７を順に繰り返す。この結果、光ディスク装置１は、再生中のＶＯＢＵのＶＯＢＵ＿ＳＲＩに基づいて、例えばＶＯＢＵを３個おきに飛び越して再生し、時間的に離れたＶＯＢＵを順次再生していく。即ち、１、５秒飛ばしの高速再生が行われる。この繰り返しの流れについて詳述すると、Ｓ１０７において飛び先ＶＯＢＵを現在再生中のＶＯＢＵとして再生すると、制御部６は、今度は該飛び先ＶＯＢＵ中のＶＯＢＵ＿ＳＲＩを参照して、該飛び先ＶＯＢＵのさらに飛び越し先となる飛び先ＶＯＢＵのアドレスを検出する（Ｓ１０１、Ｓ１０２、Ｓ１０３）。そして、制御部６が、Ｓ１０７において、検出したアドレスに存在する飛び先ＶＯＢＵを再生する。以後、これが繰り返されて高速再生が実現する。この高速再生中、ユーザは、再生を再開したい地点で再生キーを押下する。
【００５１】
高速再生中に再生キーが押下されると、制御部６は、通常再生を再開する（Ｓ１０９）。そして、制御部６は、図５のＳ７に戻り処理を継続する。
【００５２】
一方、Ｓ１０１において飛び先ＶＯＢＵが７個以上先に存在する場合、制御部６は、図５のＳ５でＲＡＭ６Ａに記録しておいたＡＤＭＡＰ２００を参照する（Ｓ１０４）。この処理を設けた理由は、７個以上先に存在する場合、飛び先ＶＯＢＵのアドレスがＶＯＢＵ＿ＳＲＩ３０に記述されていないからである。そのため、Ｓ１０４では、飛び先ＶＯＢＵのアドレスが記述されているＡＤＭＡＰ２００を参照している。
なお、Ｓ５の処理をスルーさせた場合、制御部６は、Ｓ１０４において光ディスク１００からＡＤＭＡＰ２００を参照する。しかし、光ディスク１００から参照する場合、制御部６は、ＰＵヘッド２を、現在アクセスしているＶＯＢＵ１０２９から内周のＶＴＳＩ１００２に移動させなければならない。そのため、ユーザが高速再生を指示してから高速再生が開始するまで、多くの時間を要する。その間、ユーザを待たせてしまう。
【００５３】
制御部６は、ＡＤＭＡＰ２００内で、現在再生中のＶＯＢＵ１０２９に対応する位置情報を検索する（Ｓ１０５）。この処理は、制御部６が現在再生中のＶＯＢＵ１０２９のアドレスをＰＵヘッド２から取得し、同じアドレスが記述されている位置情報をＡＤＭＡＰ２００内で検索することにより行われる。ここで、現在再生中のＶＯＢＵ１０２９に対応する位置情報が、位置情報１２００とする（図４参照）。この位置情報１２００に、現在再生中のＶＯＢＵ１０２９のアドレスが記述されているとする。
【００５４】
続いて、制御部６は、現在再生中のＶＯＢＵ１０２９に対応する位置情報を基準にして、飛び先ＶＯＢＵのアドレスをＡＤＭＡＰ２００から検出する（Ｓ１０６）。この処理は、例えば早送りキーが８回押下された４秒飛ばしの高速再生であれば、その基準となる位置情報１２００から８個先のＶＯＢＵの位置情報１２０８を参照することにより行われる（図４参照）。この位置情報１２０８に、８個先のＶＯＢＵのアドレスが記述されている。
【００５５】
制御部６は、検出したアドレスに存在する飛び先ＶＯＢＵをＰＵヘッド２に読取らせて、再生する（Ｓ１０７）。
【００５６】
そして、制御部６は、再生が指示されるまで（Ｓ１０８）、Ｓ１０１、Ｓ１０４〜Ｓ１０７を順に繰り返す。この結果、光ディスク装置１は、ＡＤＭＡＰ２００に基づいて、例えばＶＯＢＵを８個おきに飛び越して再生し、時間的に離れたＶＯＢＵを順次再生していく。即ち、４秒飛ばしの高速再生が行われる。この高速再生中、ユーザは、再生を再開したい地点で再生キーを押下する。
【００５７】
高速再生中に再生キーが押下されると、制御部６は、通常再生を再開する（Ｓ１０９）。そして、制御部６は、図５のＳ７に戻り処理を継続する。
【００５８】
以上により、光ディスク装置１は、ＤＶＤ＋ＶＲフォーマットで記録された光ディスク１００を、３、５秒飛ばし以上の高速再生ができる。そのため、ユーザは、ＤＶＤの規格に関係なく、高速再生の再生速度を自由に指定できる。従って、ユーザの使い勝手が向上できる。
また、制御部６は、図５のＳ５でＡＤＭＡＰ２００をＲＡＭ６Ａ上に展開させているため、図６のＳ１０４でＡＤＭＡＰ２００を素早く参照することができる。これにより、ユーザが高速再生を指示してから高速再生が開始するまでの時間を短縮できる。従って、ユーザの使い勝手が一層向上できる。
【００５９】
また、本発明の実施形態は、以下の変形例を採用することができる。
光ディスク１００の再生が指示された時に、光ディスク１００に記録されているＡＤＭＡＰ２００をＲＡＭ６Ａに記憶させるか否かを切替える切替キーを、操作部１０に設けても構わない。
【００６０】
光ディスク１００に記録されているＡＤＭＡＰ２００をＲＡＭ６Ａに記憶させる方にユーザが切替キーで切替えると、制御部６は、上述の通り、図６のＳ１０４においてＲＡＭ６ＡからＡＤＭＡＰ２００を参照する。そのため、ユーザが高速再生を指示してから高速再生が開始するまでの時間を短縮できる。
一方、光ディスク１００に記録されているＡＤＭＡＰ２００をＲＡＭ６Ａに記憶させない方にユーザが切替キーで切替えると、制御部６は、図５のＳ５をスルーし、図６のＳ１０４において光ディスク１００からＡＤＭＡＰ２００を参照する。光ディスク１００から参照する場合、制御部６は、ＰＵヘッド２を、現在アクセスしているＶＯＢＵ１０２９から内周のＶＴＳＩ１００２に移動させなければならない。そのため、ユーザが高速再生を指示してから高速再生が開始するまで、多くの時間を要する。しかし、光ディスク１００に記録されているＡＤＭＡＰ２００をＲＡＭ６Ａに展開するＳ５の処理をスルーする分、ユーザが再生を指示してから再生が開始されるまでの時間は短縮される。
【００６１】
よって、再生を指示してから再生が開始するまでの時間を短縮させるか、高速再生を指示してから高速再生が開始するまでの時間を短縮させるか、をユーザが自分の使用方法に応じて切替えできる。従って、ユーザの使い勝手が一層向上できる。
【図面の簡単な説明】
【００６２】
【図１】本発明の実施形態である光ディスク装置の主要な構成を示すブロック図
【図２】ＤＶＤ＋ＶＲフォーマットで記録された光ディスク上のデータのデータ構造を示す図
【図３】図２のＮＶ＿ＰＣＫ１０３０中に格納されている内容を示す図
【図４】図２のＶＴＳＩ１００２中に格納されている内容を示す図
【図５】本発明の実施形態である光ディスク装置の制御部が行う動作を示すフローチャート
【図６】+ＶＲ早送り処理における制御部の動作を示すフローチャート
【符号の説明】
【００６３】
１−光ディスク装置
２−ピックアップヘッド
３−再生回路
４−デコーダ
５−ＤＡＣ
６Ａ−ＲＡＭ
６−制御部
９−表示部
１０−操作部
１１−記憶部
３０−ＶＯＢＵ＿ＳＲＩ
１００−光ディスク
１０１−テレビジョン
２００−ＡＤＭＡＰ
【図１】
2008263303.tif 000003
【図２】
2008263303.tif 000004
【図３】
2008263303.tif 000005
【図４】
2008263303.tif 000006
【図５】
2008263303.tif 000007
【図６】
2008263303.tif 000008